(57)【要約】      （修正有）【課題】組織ポケットを有する外科手術用ステープル留め器具の提供。【解決手段】エンドエフェクタは、第１の組織接触面を有するカートリッジアセンブリ３２０と、第２の組織接触面を有するアンビルアセンブリ３１０と、第１または第２の組織接触面のうちの１つ内に画定された１つ以上の組織ポケット３３２ｅ、３３２ｆとを含む。アンビル及びカートリッジアセンブリ３１０、３２０は、第１及び第２の組織接触面間に組織を選択的にクランプするように、開放位置と閉鎖位置との間で移動可能である。各組織ポケット３３２ｅ、３３２ｆは、アンビル及びカートリッジアセンブリ３１０、３２０が閉鎖位置に配置されている間に、その中に組織を捕捉するように構成されている。各組織ポケット３３２ｅ、３３２ｆは、組織が第１及び第２の組織接触面間にクランプされている間に、組織が第１及び第２の組織接触面から離れて移行することを防止するように構成されている。【選択図】図３
2018069078.tif 000002
【特許請求の範囲】
【請求項１】
外科手術用ステープル留め器具であって、
第１の組織接触面を有する第１の顎部材であって、前記第１の組織接触面が、複数のステープル保持溝を画定している、第１の顎部材と、
複数のステープルであって、前記複数のステープルの前記ステープルの各々が、前記第１の組織接触面の前記複数のステープル保持溝の個々のステープル保持溝内に受容されている、複数のステープルと、
第２の組織接触面を有する第２の顎部材であって、前記第２の組織接触面が、前記第１の組織接触面の前記複数のステープル保持溝と共に整列された複数のステープルポケットを画定し、前記第２の組織接触面の各ステープルポケットが、前記外科手術用ステープル留め器具が発射されたときに、前記複数のステープルの前記ステープルの個々のステープルを形成するように構成されている、第２の顎部材と、
前記第１または第２の組織接触面のうちの１つ内に画定された組織ポケットであって、前記外科手術用ステープル留め器具が発射されたときに、前記組織が前記第１及び第２の組織接触面から離れて移行することを防止するように、その中に組織を捕捉するように構成されている、組織ポケットと、を備える、外科手術用ステープル留め器具。
【請求項２】
前記組織ポケットが、前記複数のステープル保持溝の２つの隣接するステープル保持溝間に位置付けられる、請求項１に記載の外科手術用ステープル留め器具。
【請求項３】
前記組織ポケットが、前記複数のステープルポケットの２つの隣接するステープルポケット間に位置付けられる、請求項１に記載の外科手術用ステープル留め器具。
【請求項４】
前記第１または第２の組織接触面のうちの１つ内に画定された第２の組織ポケットをさらに備える、請求項１に記載の外科手術用ステープル留め器具。
【請求項５】
前記組織ポケットが、前記第１の組織接触面内に画定され、かつ前記複数のステープル保持溝間の前記第１の顎部材に沿って位置付けられた、複数の組織ポケットを含む、請求項１に記載の外科手術用ステープル留め器具。
【請求項６】
前記組織ポケットが、前記第２の組織接触面内に画定され、かつ前記複数のステープルポケット間の前記第２の顎部材に沿って位置付けられた、複数の組織ポケットを含む、請求項１に記載の外科手術用ステープル留め器具。
【請求項７】
前記組織ポケットが、複数の組織ポケットを含み、前記複数の組織ポケットが、第１のセットの組織ポケットと、第２のセットの組織ポケットとを含み、前記第１のセットの組織ポケットが、前記第１の組織接触面内に画定され、かつ前記複数のステープル保持溝間の前記第１の顎部材に沿って位置付けられ、前記第２のセットの組織ポケットが、前記第２の組織接触面内に画定され、かつ前記複数のステープルポケット間の前記第２の顎部材に沿って位置付けられる、請求項１に記載の外科手術用ステープル留め器具。
【請求項８】
前記第１の顎部材が、第１の周縁に延在し、第２の顎部材が、第２の周縁に延在し、前記組織ポケットが、前記第１または第２の周縁のうちの１つ内に画定される、請求項１に記載の外科手術用ステープル留め器具。
【請求項９】
前記組織ポケットが、前記第１及び第２の周縁のうちの少なくとも１つ内に画定された複数の組織ポケットを含む、請求項８に記載の外科手術用ステープル留め器具。
【請求項１０】
前記複数の組織ポケットが、第１のセットの組織ポケットと、第２のセットの組織ポケットとを含み、前記第１のセットの組織ポケットが、前記第１の周縁からオフセットされた位置で前記第１の組織接触面内に画定され、前記第２のセットの組織ポケットが、前記第２の周縁からオフセットされた位置で前記第２の組織接触面内に画定される、請求項９に記載の外科手術用ステープル留め器具。
【請求項１１】
前記組織ポケットが、開曲線を画定する、請求項８に記載の外科手術用ステープル留め器具。
【請求項１２】
前記組織ポケットが、閉曲線を画定する、請求項１に記載の外科手術用ステープル留め器具。
【請求項１３】
外科手術用ステープル留め器具用エンドエフェクタであって、
第１の組織接触面を有するカートリッジアセンブリと、
第２の組織接触面を有するアンビルアセンブリであって、前記アンビルアセンブリ及び前記カートリッジアセンブリが、前記第１及び第２の組織接触面間に組織を選択的にクランプするように、開放位置と閉鎖位置との間で移動するように位置付けられている、アンビルアセンブリと、
それぞれ、前記アンビル及びカートリッジアセンブリの前記第１及び第２の組織接触面間にクランプされた組織を切断するように、前記アンビル及びカートリッジアセンブリに対して移動するように構成されたナイフを含む、ナイフアセンブリと、
前記第１または第２の組織接触面のうちの１つ内に画定された組織ポケットであって、前記ナイフが前記アンビル及びカートリッジアセンブリに対して移動するときに、前記組織が前記第１及び第２の組織接触面から離れて移行することを防止するように、その中に組織を捕捉するように構成されている、組織ポケットと、を備える、エンドエフェクタ。
【請求項１４】
前記第１または第２の組織接触面のうちの１つ内に画定された第２の組織ポケットをさらに備える、請求項１３に記載のエンドエフェクタ。
【請求項１５】
前記組織ポケットが、前記第１の組織接触面内に画定された複数の組織ポケットと、前記第２の組織接触面内に画定された複数の組織ポケットとを含む、請求項１３に記載のエンドエフェクタ。
【請求項１６】
前記カートリッジアセンブリが、第１の周縁に延在し、前記アンビルアセンブリが、第２の周縁に延在し、前記組織ポケットが、前記第１または第２の周縁のうちの１つ内に画定される、請求項１３に記載のエンドエフェクタ。
【請求項１７】
前記組織ポケットが、前記第１及び第２の周縁のうちの少なくとも１つ内に画定された複数の組織ポケットを含む、請求項１６に記載のエンドエフェクタ。
【請求項１８】
前記複数の組織ポケットが、第１のセットの組織ポケットと、第２のセットの組織ポケットとを含み、前記第１のセットの組織ポケットが、前記第１の周縁からオフセットされた位置で前記第１の組織接触面内に画定され、前記第２のセットの組織ポケットが、前記第２の周縁からオフセットされた位置で前記第２の組織接触面内に画定される、請求項１７に記載のエンドエフェクタ。
【請求項１９】
前記組織ポケットが、開曲線を画定する、請求項１６に記載のエンドエフェクタ。
【請求項２０】
エンドエフェクタであって、
第１の組織接触面を有するカートリッジアセンブリと、
第２の組織接触面を有するアンビルアセンブリであって、前記アンビル及びカートリッジアセンブリが、共に動作可能に連結され、かつ前記第１及び第２の組織接触面間に組織を選択的にクランプするように、開放位置と閉鎖位置との間で移動するように位置付けられている、アンビルアセンブリと、
前記第１及び第２の組織接触面のうちの１つ内に画定された少なくとも１つの組織ポケットであって、前記アンビル及びカートリッジアセンブリが前記閉鎖位置に配置されている間に、その中に組織を捕捉するように構成され、前記組織が前記第１及び第２の組織接触面間にクランプされている間に、前記組織が前記第１及び第２の組織接触面から離れて移行することを防止するように構成されている、少なくとも１つの組織ポケットと、を備える、エンドエフェクタ。
【発明の詳細な説明】
【技術分野】
【０００１】
本開示は、内視鏡外科手術手技を行うための外科手術用ステープル留め器具及びその使用方法に関する。
【背景技術】
【０００２】
対向する顎構造間に組織をクランプ、切断、及び／またはステープル留めする外科手術用ステープル留め器具は、当該技術分野においてよく知られている。かかる外科手術用ステープル留め器具は、組織を捕捉またはクランプするために使用される２つの細長い顎部材を有するツールアセンブリを有する装着ユニットを含むことができる。２つの顎部材のうちの１つは、通常、複数のステープルを収容するステープルカートリッジを担持し、２つの顎部材のうちの他方は、ステープルカートリッジから２つの顎部材間に画定されたステープル留め領域にステープルが駆動されるときにステープルを形成するためのアンビルを有する。一般に、ステープル留め動作は、ステープルカートリッジ内に画定されたチャネルを通して長手方向に走行するカム部材を有する駆動部材（例えば、カムバー、駆動スレッド、または他の同様の機構）によって達成され、ステープルカートリッジからステープルを順次排出するためのチャネル内のステープルプッシャに作用する。ステープル留め器具が発射されたときに２つの顎部材に沿った駆動部材の長手方向の走行から生じる、組織に作用する圧縮力に応答して、２つの顎部材間に捕捉された組織がステープル留め領域から移行するときに、追加のステープル留めが必要とされ得る。
【０００３】
外科手術用ステープル留めを改善するために、ステープル留め領域からの組織移行を低減する外科手術用ステープル留め器具を提供することが有利であろう。
【発明の概要】
【課題を解決するための手段】
【０００４】
本開示の一態様に従って、外科手術用ステープル留め器具が提供される。外科手術用ステープル留め器具は、第１の顎部材と、複数のステープルと、第２の顎部材と、組織ポケットとを含む。第１の顎部材は、ステープル保持溝を画定する第１の組織接触面を有する。ステープルの各々は、第１の組織接触面のステープル保持溝の個々のステープル保持溝内に受容される。第２の顎部材は、第１の組織接触面のステープル保持溝と共に整列されたステープルポケットを画定する第２の組織接触面を有する。第２の組織接触面の各ステープルポケットは、外科手術用ステープル留め器具が発射されたときにステープルの個々のステープルを形成するように構成されている。組織ポケットは、第１または第２の組織接触面のうちの１つ内に画定され、外科手術用ステープル留め器具が発射されたときに、組織が第１及び第２の組織接触面から離れて移行することを防止するように、その中に組織を捕捉するように構成されている。
【０００５】
いくつかの実施形態では、組織ポケットは、ステープル保持溝の２つの隣接する保持溝間に位置付けられ得る。
【０００６】
ある実施形態では、組織ポケットは、ステープルポケットの２つの隣接するステープルポケット間に位置付けられ得る。
【０００７】
いくつかの実施形態では、外科手術用ステープル留め器具は、第１または第２の組織接触面内に画定された第２の組織ポケットをさらに含み得る。
【０００８】
ある実施形態では、組織ポケットは、第１の組織接触面内に画定された組織ポケットを含んでもよく、ステープル保持溝間の第１の顎部材に沿って位置付けられ得る。
【０００９】
いくつかの実施形態では、組織ポケットは、第２の組織接触面内に画定された組織ポケットを含んでもよく、ステープルポケット間の第２の顎部材に沿って位置付けられ得る。
【００１０】
ある実施形態では、組織ポケットは、第１のセットの組織ポケットと、第２のセットの組織ポケットとを含む、組織ポケットを含み得る。第１のセットの組織ポケットは、第１の組織接触面内に画定され得、ステープル保持溝間の第１の顎部材に沿って位置付けられ得る。第２のセットの組織ポケットは、第２の組織接触面内に画定され得、ステープルポケット間の第２の顎部材に沿って位置付けられ得る。
【００１１】
いくつかの実施形態では、第１の顎部材は、第１の周縁に延在し得、第２の顎部材は、第２の周縁に延在し得る。組織ポケットは、第１または第２の周縁のうちの１つ内に画定され得る。組織ポケットは、第１及び第２の周縁のうちの１つまたは両方内に画定された組織ポケットを含み得る。組織ポケットは、第１のセットの組織ポケットと、第２のセットの組織ポケットとを含み得る。第１のセットの組織ポケットは、第１の周縁からオフセットされた位置で第１のセットの組織接触面内に画定され得る。第２のセットの組織ポケットは、第２の周縁からオフセットされた位置で第２の組織接触面内に画定され得る。
【００１２】
ある実施形態では、組織ポケットは、開曲線を画定し得る。いくつかの実施形態では、組織ポケットは、閉曲線を画定し得る。
【００１３】
本開示のまた別の態様に従って、外科手術用ステープル留め器具用エンドエフェクタが提供される。エンドエフェクタは、カートリッジアセンブリと、アンビルアセンブリと、ナイフアセンブリと、組織ポケットとを含む。カートリッジアセンブリは、第１の組織接触面を有し、アンビルアセンブリは、第２の組織接触面を有する。アンビルアセンブリ及びカートリッジアセンブリは、第１及び第２の組織接触面間に組織を選択的にクランプするように開放位置と閉鎖位置との間で移動するように位置付けられている。ナイフアセンブリは、それぞれ、アンビル及びカートリッジアセンブリの第１及び第２の組織接触面間にクランプされた組織を切断するようにアンビル及びカートリッジアセンブリに対して移動するように構成されたナイフを含む。組織ポケットは、第１または第２の組織接触面のうちの１つ内に画定され、ナイフがアンビル及びカートリッジアセンブリに対して移動するときに、組織が第１及び第２の組織接触面から離れて移行することを防止するように、その中に組織を捕捉するように構成される。
【００１４】
いくつかの実施形態では、エンドエフェクタは、第１または第２の組織接触面のうちの１つ内に画定された第２の組織ポケットをさらに含む。
【００１５】
ある実施形態では、組織ポケットは、第１の組織接触面内に画定された組織ポケット及び第２の組織接触面内に画定された組織ポケットを含み得る。
【００１６】
いくつかの実施形態では、カートリッジ部材は、第１の周縁に延在し得、アンビルアセンブリは、第２の周縁に延在し得る。組織ポケットは、第１または第２の周縁のうちの１つ内に画定され得る。組織ポケットは、第１及び第２の周縁のうちの１つまたは両方内に画定された組織ポケットを含み得る。組織ポケットは、第１のセットの組織ポケットと、第２のセットの組織ポケットとを含み得る。第１のセットの組織ポケットは、第１の周縁からオフセットされた位置で第１の組織接触面内に画定され得る。第２のセットの組織ポケットは、第２の周縁からオフセットされた位置で第２の組織接触面内に画定され得る。
【００１７】
本開示のまた別の態様に従って、エンドエフェクタは、カートリッジアセンブリと、アンビルアセンブリと、１つ以上の組織ポケットとを含む。カートリッジアセンブリは、第１の組織接触面を有し、アンビルアセンブリは、第２の組織接触面を有する。アンビル及びカートリッジアセンブリは、共に動作可能に連結され、かつ第１及び第２の組織接触面間に組織を選択的にクランプするように開放位置と閉鎖位置との間で移動するように位置付けられている。１つ以上の組織ポケットは、第１または第２の組織接触面のうちの１つ内に画定され、アンビル及びカートリッジアセンブリが閉鎖位置内に配置されている間に、その中に組織を捕捉するように構成されている。１つ以上の組織ポケットは、組織が第１及び第２の組織接触面間にクランプされている間に、組織が第１及び第２の組織接触面から離れて移行することを防止するように構成されている。
【００１８】
他の態様、特徴、及び利点は、以下に続く明細書、図面、及び特許請求の範囲から明らかであろう。
例えば本願は以下の項目を提供する。
（項目１）
外科手術用ステープル留め器具であって、
第１の組織接触面を有する第１の顎部材であって、前記第１の組織接触面が、複数のステープル保持溝を画定している、第１の顎部材と、
複数のステープルであって、前記複数のステープルの前記ステープルの各々が、前記第１の組織接触面の前記複数のステープル保持溝の個々のステープル保持溝内に受容されている、複数のステープルと、
第２の組織接触面を有する第２の顎部材であって、前記第２の組織接触面が、前記第１の組織接触面の前記複数のステープル保持溝と共に整列された複数のステープルポケットを画定し、前記第２の組織接触面の各ステープルポケットが、前記外科手術用ステープル留め器具が発射されたときに、前記複数のステープルの前記ステープルの個々のステープルを形成するように構成されている、第２の顎部材と、
前記第１または第２の組織接触面のうちの１つ内に画定された組織ポケットであって、前記外科手術用ステープル留め器具が発射されたときに、前記組織が前記第１及び第２の組織接触面から離れて移行することを防止するように、その中に組織を捕捉するように構成されている、組織ポケットと、を備える、外科手術用ステープル留め器具。
（項目２）
前記組織ポケットが、前記複数のステープル保持溝の２つの隣接するステープル保持溝間に位置付けられる、上記項目に記載の外科手術用ステープル留め器具。
（項目３）
前記組織ポケットが、前記複数のステープルポケットの２つの隣接するステープルポケット間に位置付けられる、上記項目のいずれかに記載の外科手術用ステープル留め器具。
（項目４）
前記第１または第２の組織接触面のうちの１つ内に画定された第２の組織ポケットをさらに備える、上記項目のいずれかに記載の外科手術用ステープル留め器具。
（項目５）
前記組織ポケットが、前記第１の組織接触面内に画定され、かつ前記複数のステープル保持溝間の前記第１の顎部材に沿って位置付けられた、複数の組織ポケットを含む、上記項目のいずれかに記載の外科手術用ステープル留め器具。
（項目６）
前記組織ポケットが、前記第２の組織接触面内に画定され、かつ前記複数のステープルポケット間の前記第２の顎部材に沿って位置付けられた、複数の組織ポケットを含む、上記項目のいずれかに記載の外科手術用ステープル留め器具。
（項目７）
前記組織ポケットが、複数の組織ポケットを含み、前記複数の組織ポケットが、第１のセットの組織ポケットと、第２のセットの組織ポケットとを含み、前記第１のセットの組織ポケットが、前記第１の組織接触面内に画定され、かつ前記複数のステープル保持溝間の前記第１の顎部材に沿って位置付けられ、前記第２のセットの組織ポケットが、前記第２の組織接触面内に画定され、かつ前記複数のステープルポケット間の前記第２の顎部材に沿って位置付けられる、上記項目のいずれかに記載の外科手術用ステープル留め器具。
（項目８）
前記第１の顎部材が、第１の周縁に延在し、第２の顎部材が、第２の周縁に延在し、前記組織ポケットが、前記第１または第２の周縁のうちの１つ内に画定される、上記項目のいずれかに記載の外科手術用ステープル留め器具。
（項目９）
前記組織ポケットが、前記第１及び第２の周縁のうちの少なくとも１つ内に画定された複数の組織ポケットを含む、上記項目のいずれかに記載の外科手術用ステープル留め器具。
（項目１０）
前記複数の組織ポケットが、第１のセットの組織ポケットと、第２のセットの組織ポケットとを含み、前記第１のセットの組織ポケットが、前記第１の周縁からオフセットされた位置で前記第１の組織接触面内に画定され、前記第２のセットの組織ポケットが、前記第２の周縁からオフセットされた位置で前記第２の組織接触面内に画定される、上記項目のいずれかに記載の外科手術用ステープル留め器具。
（項目１１）
前記組織ポケットが、開曲線を画定する、上記項目のいずれかに記載の外科手術用ステープル留め器具。
（項目１２）
前記組織ポケットが、閉曲線を画定する、上記項目のいずれかに記載の外科手術用ステープル留め器具。
（項目１３）
外科手術用ステープル留め器具用エンドエフェクタであって、
第１の組織接触面を有するカートリッジアセンブリと、
第２の組織接触面を有するアンビルアセンブリであって、前記アンビルアセンブリ及び前記カートリッジアセンブリが、前記第１及び第２の組織接触面間に組織を選択的にクランプするように、開放位置と閉鎖位置との間で移動するように位置付けられている、アンビルアセンブリと、
それぞれ、前記アンビル及びカートリッジアセンブリの前記第１及び第２の組織接触面間にクランプされた組織を切断するように、前記アンビル及びカートリッジアセンブリに対して移動するように構成されたナイフを含む、ナイフアセンブリと、
前記第１または第２の組織接触面のうちの１つ内に画定された組織ポケットであって、前記ナイフが前記アンビル及びカートリッジアセンブリに対して移動するときに、前記組織が前記第１及び第２の組織接触面から離れて移行することを防止するように、その中に組織を捕捉するように構成されている、組織ポケットと、を備える、エンドエフェクタ。
（項目１４）
前記第１または第２の組織接触面のうちの１つ内に画定された第２の組織ポケットをさらに備える、上記項目に記載のエンドエフェクタ。
（項目１５）
前記組織ポケットが、前記第１の組織接触面内に画定された複数の組織ポケットと、前記第２の組織接触面内に画定された複数の組織ポケットとを含む、上記項目のいずれかに記載のエンドエフェクタ。
（項目１６）
前記カートリッジアセンブリが、第１の周縁に延在し、前記アンビルアセンブリが、第２の周縁に延在し、前記組織ポケットが、前記第１または第２の周縁のうちの１つ内に画定される、上記項目のいずれかに記載のエンドエフェクタ。
（項目１７）
前記組織ポケットが、前記第１及び第２の周縁のうちの少なくとも１つ内に画定された複数の組織ポケットを含む、上記項目のいずれかに記載のエンドエフェクタ。
（項目１８）
前記複数の組織ポケットが、第１のセットの組織ポケットと、第２のセットの組織ポケットとを含み、前記第１のセットの組織ポケットが、前記第１の周縁からオフセットされた位置で前記第１の組織接触面内に画定され、前記第２のセットの組織ポケットが、前記第２の周縁からオフセットされた位置で前記第２の組織接触面内に画定される、上記項目のいずれかに記載のエンドエフェクタ。
（項目１９）
前記組織ポケットが、開曲線を画定する、上記項目のいずれかに記載のエンドエフェクタ。
（項目２０）
エンドエフェクタであって、
第１の組織接触面を有するカートリッジアセンブリと、
第２の組織接触面を有するアンビルアセンブリであって、前記アンビル及びカートリッジアセンブリが、共に動作可能に連結され、かつ前記第１及び第２の組織接触面間に組織を選択的にクランプするように、開放位置と閉鎖位置との間で移動するように位置付けられている、アンビルアセンブリと、
前記第１及び第２の組織接触面のうちの１つ内に画定された少なくとも１つの組織ポケットであって、前記アンビル及びカートリッジアセンブリが前記閉鎖位置に配置されている間に、その中に組織を捕捉するように構成され、前記組織が前記第１及び第２の組織接触面間にクランプされている間に、前記組織が前記第１及び第２の組織接触面から離れて移行することを防止するように構成されている、少なくとも１つの組織ポケットと、を備える、エンドエフェクタ。
（摘要）
エンドエフェクタは、第１の組織接触面を有するカートリッジアセンブリと、第２の組織接触面を有するアンビルアセンブリと、第１または第２の組織接触面のうちの１つ内に画定された１つ以上の組織ポケットとを含む。アンビル及びカートリッジアセンブリは、第１及び第２の組織接触面間に組織を選択的にクランプするように、開放位置と閉鎖位置との間で移動可能である。各組織ポケットは、アンビル及びカートリッジアセンブリが閉鎖位置に配置されている間に、その中に組織を捕捉するように構成されている。各組織ポケットは、組織が第１及び第２の組織接触面間にクランプされている間に、組織が第１及び第２の組織接触面から離れて移行することを防止するように構成されている。
【図面の簡単な説明】
【００１９】
本明細書内に組み込まれ、かつその一部を構成する、添付の図面は、本開示の実施形態を図示し、上に与えられた本開示の一般的な説明及び下に与えられた実施形態の詳細な説明と共に、本開示の原理を説明する機能を果たす。
【００２０】
【図１】本開示の原理に従う、外科手術用ステープル留め器具の斜視図である。
【図２】図１の外科手術用ステープル留め器具の装着ユニットの斜視図である。
【図３】開放位置でのエンドエフェクタを有する図２の装着ユニットのエンドエフェクタの一部分の拡大斜視図である。
【図３Ａ】図３のエンドエフェクタのアンビルアセンブリの一部分の底面図である。
【図４】エンドエフェクタのアンビルアセンブリとカートリッジアセンブリとの間に組織がクランプされた状態の閉鎖位置で示される図３のエンドエフェクタの斜視図である。
【図５】図４の切断線５〜５に沿って切り取られた拡大断面図である。
【図６】本開示に従う、医療用ワークステーション及び操作コンソールの概略図である。
【発明を実施するための形態】
【００２１】
本開示の外科手術用ステープル留め器具の実施形態は、図を参照して詳細に記載され、いくつかの図の各々において、同様の符号は、同一または対応する要素を指定する。本明細書で使用される場合、「遠位」という用語は、ユーザから遠い、器具及び／またはその構成要素の遠位部分を指し、「近位」という用語は、ユーザに近い、器具及び／またはその構成要素の近位部分を指す。本明細書で使用される場合、「臨床医」という用語は、医師、看護師、または他の医療提供者を指し、支援人員を含んでもよい。本明細書で使用される場合、「組織移行」または同様の用語は、外科手術用ステープル留め器具の動作の結果として組織に加えられる、押し出し力、圧縮力、及び／または他の同様の力に応答した、外科手術用ステープル留め器具のステープル留め領域からの組織の走行移動を指す。以下の説明では、不要な詳細で本開示を不明確にすることを避けるために、よく知られている機能または構造は記載されていない。
【００２２】
次に、図１及び２を参照すると、一般に１０と称される、電気機械外科手術用ステープル留めシステムまたは器具は、電動手持ち式電気機械器具の形態での外科手術用デバイス１００と、アダプタアセンブリ２００と、外科手術用装着ユニット（例えば、複数もしくは単一使用の装着ユニット）またはエンドエフェクタ３００とを含む。エンドエフェクタ３００は、組織「Ｔ」を切断及び／またはステープル留めするために組織「Ｔ」（図４）を選択的にクランプするように、開放位置（図３）と閉鎖位置（図４）との間で移動可能である、アンビルアセンブリ３１０及びカートリッジアセンブリ３２０を含む。カートリッジアセンブリ３２０は、カートリッジアセンブリ３２０から選択的に移動可能であり得る、ステープル留め及び切断カートリッジまたはリロード３３０を含む。外科手術用デバイス１００は、アダプタアセンブリ２００と選択的に接続するように構成され、次に、アダプタアセンブリ２００は、エンドエフェクタ３００と選択的に接続するように構成される。外科手術用デバイス１００及びアダプタアセンブリ２００は、共に、協働してエンドエフェクタ３００を作動させる。
【００２３】
いくつかの実施形態では、電気機械外科手術用ステープル留めシステム１０の外科手術用デバイス１００は、長手方向軸「Ｘ」を画定し、再充電可能な電池１０３を選択的に移動可能に受容するように空洞「Ｃ」を画定しているハンドルハウジング１０２を含む。電池１０３は、外科手術用デバイス１００の電気的な構成要素に電力を供給するように構成されている。空洞「Ｃ」は、外科手術用デバイス１００の様々な動作を制御するように構成された制御装置または回路基板１０５、及び外科手術用デバイス１００の様々な動作を実行するために、ハンドルハウジング１０２内の回転可能なシャフト及び／または歯車構成要素（図示せず）を駆動させるように構成された駆動機構１０６を支持する。例えば、駆動機構１０６は、電気機械外科手術用ステープル留めシステム１０の長手方向軸「Ｘ」の周りに、かつ／またはそれに対してエンドエフェクタ３００を選択的に関節運動及び／もしくは回転させるように、組織をクランプするために開放及び閉鎖位置間で互いに対してアンビルアセンブリ３１０及び／もしくはカートリッジアセンブリ３２０を選択的に移動させるように、かつ／またはリロード３３０を発射するように、動作可能であり得る。電池１０３、制御装置１０５、及び／または駆動機構１０６は、上に記載されているもの等、電気機械外科手術用ステープル留めシステム１０の様々な機能を達成するための、指作動式制御ボタン、ロッカデバイス、及び／または同様のもの等、１つ以上のトリガ１０７ａ、１０７ｂに動作可能に連結され得る。
【００２４】
２００８年９月２２日に出願された、国際特許出願第ＰＣＴ／ＵＳ２００８／０７７２４９号（国際特許公開第ＷＯ２００９／０３９５０６号）、２０１４年１１月２１日に出願された、米国特許出願第２０１５／０１５７３２０号、及び２００９年１１月２０日に出願された、米国特許出願公開第２０１１／０１２１０４９号が参照され得、それらの各々の全体的な内容は、様々な例示的な電気機械外科手術用システムの構造及び動作の詳細な説明のために、参照により本明細書に組み込まれ、それらの構成要素は、本明細書に記載されている電気機械外科手術用システム１０の１つ以上の構成要素と組み合わせ可能であり、かつ／または相互交換可能である。
【００２５】
外科手術用ステープル留め器具は、電気機械式電動外科手術用ステープル留め器具として記載されているが、本開示の外科手術用ステープル留め器具を、手動式ステープル留め器具として提供することができる。その１つ以上の構成要素を、本明細書に記載されている電気機械式電動ステープル留め器具と組み合わせ、かつ／または相互交換することができる、例示的な手動式ステープル留め器具の構造及び動作のより詳細な説明については、２０１２年１２月２０日に出願された、米国特許第８，７７７，０８２号が参照され得、その全体的な内容は、参照により本明細書に組み込まれる。さらに、本開示の外科手術用ステープル留め器具を、横断式ステープル留め器具、開放式ステープル留め器具、内視鏡ステープル留め器具、円形ステープル留め器具、及び／またはこれらのステープル留め器具のうちの１つ以上の１つ以上の構成要素の組み合わせ等、任意の好適な外科手術用ステープル留め器具として提供することができる。かかるステープル留め器具の例の構造及び動作のより詳細な説明については、これらの外科手術用ステープル留め器具の各々の例の一般的な説明のために、米国特許第７，４０７，０７５号が参照され得、かつ／またはこれらの外科手術用ステープル留め器具の各々のより詳細な説明のために、米国特許第５，９１５，６１６号（円形ステープル留め器具）、同第６，２０２，９１４号（開放式ステープル留め器具）、同第５，８６５，３６１号（内視鏡ステープル留め器具）、及び／または同第５，９６４，３９４号（横断式ステープル留め器具）が参照され得、それらの各々の全体的な内容は、参照により本明細書に組み込まれる。
【００２６】
次に、図３〜５を参照すると、エンドエフェクタ３００のアンビルアセンブリ３１０は、アンビル本体３１２と、アンビル本体３１２上にされたアンビル板３１４とを含む。アンビル板３１４は、周縁３１５に延在し、組織接触面３１４ａ（図３Ａ）を含む。アンビル板３１４の組織接触面３１４ａは、カートリッジアセンブリ３２０から排出されたステープル３３４を受容及び形成するように構成されたステープル形成ポケット３１４ｂを画定する。組織接触面３１４ａのステープル形成ポケット３１４ｂは、組織接触面３１４ａに沿った長手方向配列の形態であり得る、１つ以上の列内に位置付けられる。組織接触面３１４ａの隣接するステープル形成ポケット３１４ｂは、長手方向及び／または横方向に離間した関係で配置され得る。いくつかの実施形態では、隣接するステープル形成ポケット３１４ｂ、ならびに／または、内部及び／もしくは外部組織ポケット３１４ｄ、３１４ｃは、径方向に離間している（例えば、円形ステープル留め器具）環状配列の形態であり得る。
【００２７】
アンビル板３１４は、アンビル板３１４の組織接触面３１４ａの周縁３１５内に形成された外部組織ポケット３１４ｃと、ステープル形成ポケット３１４ｂに隣接する位置に、かつ外部組織ポケット３１４ｃ間に、組織接触面３１４ａに沿って形成された内部組織ポケット３１４ｄとをさらに含む。例えば、隣接する内部組織ポケット３１４ｄは、アンビル板３１４の組織接触面３１４ａに沿って互いに対して長手方向及び／または横方向に離間した位置に位置付けられ得る。
【００２８】
内部及び外部組織ポケット３１４ｃ及び３１４ｄの各々は、アンビル及びカートリッジアセンブリ３１０、３２０間にクランプされた組織「Ｔ」を捕捉するように構成され、アンビル及びカートリッジアセンブリ３１０、３２０は、外科手術用システム１０の発射中の組織移行を防止するように、閉鎖位置（図４）内に配置される。アンビル板３１４はまた、アンビル板３１４を通して長手方向に延在するナイフチャネル３１４ｅを画定する。ナイフチャネル３１４ｅは、ステープル形成ポケット３１４ｂまたは組織ポケット３１４ｃ、３１４ｄの列のうちの１つ以上間に中央に配置され得る。
【００２９】
エンドエフェクタ３００のカートリッジアセンブリ３２０は、支持本体３２２と、支持本体３２２に選択的に取り付けるように構成されたリロード３３０とを含む。いくつかの実施形態では、カートリッジアセンブリ３２０は、駆動機構１０６がリードスクリュー３２４を回転させることを可能にするように、外科手術用デバイス１００の駆動機構１０６（図１）に動作可能に連結されたリードスクリュー３２４（図５）をさらに支持する。リードスクリュー３２４は、駆動梁３２６に螺着可能に連結され、アンビル及びカートリッジアセンブリ３１０、３２０に沿って駆動梁３２６を前進させるように回転可能である。駆動梁３２６は、遠位に延在するナイフ３２８を支持し、開放及び閉鎖位置（ぞれぞれ、図３及び４）間でアンビル及びカートリッジアセンブリ３１０、３２０を近接／離隔させるように、かつ組織「Ｔ」を切断するように、エンドエフェクタ３００を通して長手方向に並進するように構成される。
【００３０】
カートリッジアセンブリ３２０のリロード３３０は、組織接触面３３２ａを有するカートリッジ本体３３２を含む。カートリッジ本体３３２の組織接触面３３２ａは、その中にステープル３３４の列を支持するステープル保持溝３３２ｂの長手方向に延在する列を画定する。カートリッジアセンブリ３２０のステープル保持溝３３２ｂの長手方向に延在する列は、アンビルアセンブリ３１０のステープル形成ポケット３１４ｂ（図３Ａ）の長手方向に延在する列と対応し、かつ整列している。カートリッジ本体３３２は、カートリッジアセンブリ３２０の支持体３２２にスナップ嵌合するタブ３２２ｃをさらに含む。リロード３３０は、組織接触面３３２ａを通して延在する、長手方向に延在するナイフ溝３３２ｄをさらに画定し、駆動梁３２６がそこを通して前進するときに、駆動梁３２６のナイフ３２８を受容するように構成される。リロード３３０は、カートリッジ本体３３２内に支持されたプッシャ３３８（図５）に係合するように、駆動梁３２６と係合可能であり、かつリロード３３０のカートリッジ本体３３２に沿って前進可能である、作動スレッド３３６（図５）をさらに支持する。プッシャ３３８は、リロード３３０内でステープル３３４を支持するように位置付けられる。プッシャ３３８はまた、作動スレッド３３６がプッシャ３３８に係合するときに、アンビルアセンブリ３１０のステープル形成ポケット３１４ｂ（図３Ａ）に対するステープル３３４の形成のためのステープル３３４を排出するように、カートリッジ本体３３２の組織接触面３３２ａのステープル保持溝３３２ｂを通して垂直に前進するように位置付けられる。
【００３１】
アンビルアセンブリ３１０の組織接触面３１４ａと同様に、リロード３３０の組織接触面３３２ａは、アンビルアセンブリ３１０の内部及び外部組織ポケット３１４ｃ、３１４ｄと同じ機能及び構造を有し得る、内部組織ポケット３３２ｅ及び外部組織ポケット３３２ｆを画定する。組織ポケット３１４ｃ、３１４ｄ、３３２ｅ、３３２ｆの各々は、外科手術用システム１０（図１）の発射中に、アンビル板３１４及びカートリッジ本体３３２の第１及び第２の組織接触面３１４ａ、３３２ａ間に画定されたステープル留め領域「ＳＡ」（図５）からの組織移行を防止するように構成される。
【００３２】
アンビルアセンブリ３１０の内部及び外部組織ポケット３１４ｄ、３１４ｃ、ならびにリロード３３０の内部及び外部組織ポケット３３２ｅ、３３２ｆは、円形、非円形、多角形、長方形、開放、閉鎖等の任意の好適な形状を有し得る。例えば、アンビルアセンブリ３１０の内部組織ポケット３１４ｄ及び／またはリロード３３０の内部組織ポケット３３２ｅは、閉鎖円形曲線を含んでもよく、アンビルアセンブリ３１０の外部組織ポケット３１４ｃ及び／またはリロードの外部組織ポケット３３２ｆは、開放三日月形曲線を含んでもよい。ある実施形態では、外部組織ポケット３１４ｃ、３３２ｆは、エンドエフェクタ３００の長さに沿った扇形プロファイルを画定し得る。いくつかの実施形態では、組織ポケット３１４ｃ、３１４ｄ、３３２ｅ、３３２ｆのうちの１つ以上は、１つの場所で複数の形状を含み得る。組織ポケット３１４ｃ、３１４ｄ、３３２ｅ、３３２ｆのうちの１つ以上は、ステープル形成ポケット３１４ｂ及び／またはステープル保持溝３３２ｂのうちの１つ以上より小さい及び／または大きい等の任意の好適な寸法を含んでもよい。
【００３３】
使用時に、外科手術用器具１００のトリガ１０７ｂ（図１）は、エンドエフェクタ３００のリードスクリュー３２４が、エンドエフェクタ３００の駆動梁３２６を、エンドエフェクタ３００を通して軸方向に前進させるように、作動され得る。駆動梁３２６がエンドエフェクタ３００を通して前進するとき、エンドエフェクタ３００のアンビル及びカートリッジアセンブリ３１０、３２０は、アンビル及びカートリッジアセンブリ３１０、３２０間に画定されたステープル留め領域「ＳＡ」内に組織「Ｔ」をクランプするように、閉鎖位置（図４）で共にクランプする。アンビル及びカートリッジアセンブリ３１０、３２０が近接されたとき、アンビル及びカートリッジアセンブリ３１０、３２０は、クランプされた組織「ＣＴ」（図５）を、個々のアンビル及びカートリッジアセンブリ３１０、３２０の内部及び外部組織ポケット３１４ｃ、３１４ｄ、３３２ｅ、３３２ｆに圧縮するように、組織「Ｔ」をクランプする。
【００３４】
エンドエフェクタ３００の駆動梁３２６の連続した遠位の前進は、駆動梁３２６が、リロード３３０の作動スレッド３３６に係合し、かつそれぞれ、リロード３３０及びアンビル板３１４の長手方向のナイフ溝３３２ｄ、３１４ｅを通して前進することを生じさせる。駆動梁３２６の遠位の前進は、アンビルアセンブリ３１０のアンビル板３１４内に画定された、対応するステープル形成ポケット３１４ｂに対して形成するように、リロード３３０のステープル保持溝３３２ｂからステープル３３４を発射するためのリロード３３０のプッシャ３３８と係合して作動スレッド３３６を前進させる。駆動梁３２６が前進するとき、駆動梁３２６は、駆動梁３２６のナイフ３２８がクランプされた組織「ＣＴ」を切断するときにクランプされた組織「ＣＴ」（図５）を押し進めて、圧縮する。クランプされた組織「ＣＴ」の一部分が、アンビル及びカートリッジアセンブリ３１０、３２０の組織ポケット３１４ｃ、３１４ｄ、３３２ｅ、３３２ｆ内に捕捉された状態で、組織ポケット３１４ｃ、３１４ｄ、３３２ｅ、３３２ｆは、駆動梁３２６がクランプされた組織「ＣＴ」を押し進めるときにクランプされた組織「ＣＴ」に加えられた押しまたは圧縮力に応答して、クランプされた組織「ＣＴ」が、ステープル留め領域「ＳＡ」から離れて移行するか、または別様に、押し出されることを防止する。
【００３５】
リードスクリュー３３４の逆回転は、アンビル及びカートリッジアセンブリ３１０、３２０が開放するように駆動梁３２６を後退させるか、またはエンドエフェクタ３００を離隔させ、それによって、次にエンドエフェクタ３００を、必要または所望に応じて、発射することができるように、リロード３３０を置換することができる。
【００３６】
理解することができるように、本開示のデバイスの構成要素のいずれかの固定を、溶接、圧着、粘着等の既知の締め付け技術を用いて達成することができる。
【００３７】
本明細書に開示されている様々な実施形態はまた、ロボット外科手術用システム及び「遠隔手術」と一般に称されるものと連動するように構成され得る。かかるシステムは、臨床医を支援し、外科手術用器具の遠隔動作（または、部分的な遠隔動作）を可能にするための様々なロボット要素を用いる。様々なロボットアーム、歯車、カム、プーリ、電気及び機械モータ等が、この目的のために用いられてもよく、動作または治療工程中に臨床医を支援するためのロボット外科手術用システムと共に設計され得る。かかるロボットシステムは、遠隔的に操縦可能なシステム、自動的に可撓性の外科手術用システム、遠隔的に可撓性の外科手術用システム、遠隔的に関節運動する外科手術用システム、無線外科手術用システム、モジュール式または選択的に構成可能な、遠隔的に動作される外科手術用システム等を含んでもよい。
【００３８】
ロボット外科手術用システムは、手術室に近接しているか、または遠隔位置に配置されている、１つ以上のコンソールと共に用いられ得る。この例では、あるチームの臨床医が、外科手術のために患者を準備し、本明細書に開示されている器具のうちの１つ以上と共にロボット外科手術用システムを構成し得ると同時に、別の臨床医（または、臨床医のグループ）が、ロボット外科手術用システムを介して器具を遠隔的に制御する。理解することができるように、高度な技術を持った臨床医が、経済的に有利であり、かつ患者または一連の患者に有益であり得る、臨床医の遠隔コンソールを放置することなく、複数の位置で複数の動作を実行し得る。
【００３９】
外科手術用システムのロボットアームは、典型的に、制御装置によって一対のマスタハンドルに連結される。本明細書に記載されている実施形態のうちの１つ以上の使用を補完し得る、任意の種類の外科手術用器具（例えば、エンドエフェクタ、把持装置、ナイフ、はさみ等）の作業端の対応する移動を生じるように、臨床医がハンドルを移動させることができる。マスタハンドルの移動は、作業端が臨床医の操作手によって行われる移動と異なるか、より小さいか、またはより大きい、対応する移動を有するように、拡大縮小され得る。拡大縮小率または変速速度は、操作者が外科手術用器具の作業端の解像度を制御することができるように、調節可能であり得る。
【００４０】
マスタハンドルは、例えば、操作、切断、または別様に、治療に起因する組織抵抗、組織に対する器具による圧力、組織の温度、組織の電気抵抗等の様々な組織パラメータまたは条件に関連する臨床医へのフィードバックを提供するための様々なセンサを含み得る。理解することができるように、かかるセンサは、実際の動作条件をシミュレーションしている改善された触覚フィードバックを臨床医に提供する。マスタハンドルはまた、実際の動作条件を模倣する臨床医の能力をさらに改善する、繊細な組織の操作または治療のための多様な異なるアクチュエータを含んでもよい。
【００４１】
また、図６を参照すると、医療用ワークステーションは、一般に、ワークステーション１０００として示され、一般に、複数のロボットアーム１００２、１００３と、制御デバイス１００４と、制御デバイス１００４に連結された操作コンソール１００５とを含み得る。操作コンソール１００５は、特に３次元画像を表示するために設定され得る、表示デバイス１００６と、その手段によって例えば、臨床医等のヒト（図示せず）が、第１の動作モードでロボットアーム１００２、１００３を遠隔操作することができ得る、手動入力デバイス１００７、１００８とを含み得る。
【００４２】
ロボットアーム１００２、１００３の各々は、本明細書に開示されているいくつかの実施形態のうちの任意の実施形態に従って、継手を通して接続される複数の部材と、組織ポケットを含むエンドエフェクタ１１００（例えば、一対の顎部材）を支持する、例えば、外科手術用ツール「ＳＴ」が取り付けられ得る、取り付けデバイス１００９、１０１１とを含み得る。
【００４３】
ロボットアーム１００２、１００３は、制御デバイス１００４に接続される電気駆動装置（図示せず）によって駆動され得る。制御デバイス１００４（例えば、コンピュータ）は、ロボットアーム１００２、１００３、それらの取り付けデバイス１００９、１０１１、及びしたがって、外科手術用ツール（エンドエフェクタ１１００を含む）が、手動入力デバイス１００７、１００８の手段によって画定された移動に従う所望の移動を実行する方法で、特にコンピュータプログラムの手段によって、駆動装置を作動させるように設定され得る。制御デバイス１００４はまた、ロボットアーム１００２、１００３及び／または駆動装置の移動を制御する方法で、設定され得る。
【００４４】
医療用ワークステーション１０００は、エンドエフェクタ１１００の手段によって最小侵襲的な方法で治療される、患者台１０１２に横たわる患者「Ｐ」に対して使用するように構成され得る。医療用ワークステーション１０００はまた、制御デバイス１００４に同様に接続され、かつ操作コンソール１００５の手段によって遠隔操作可能な、追加のロボットアームである、２つを超えるロボットアーム１００２、１００３を含んでもよい。本開示の外科手術用システム等の外科手術用システムがまた、追加のロボットアームに取り付けられてもよい。医療用ワークステーション１０００は、制御デバイス１００４に連結されたデータベース１０１４を含んでもよい。いくつかの実施形態では、患者／生体「Ｐ」による動作前データ及び／または解剖アトラスが、データベース１０１４内に保存され得る。例示的な医療用ワークステーション及び／またはその構成要素のより詳細な説明については、２０１１年１１月３日に出願された、米国特許出願公開第２０１２／０１１６４１６号、発明の名称「Ｍｅｄｉｃａｌ  Ｗｏｒｋｓｔａｔｉｏｎ」、及び２０１５年７月２１日に出願された、国際特許出願公開第ＷＯ２０１６／０２５１３２号、発明の名称「Ｒｏｂｏｔｉｃａｌｌｙ  Ｃｏｎｔｒｏｌｌｉｎｇ  Ｍｅｃｈａｎｉｃａｌ  Ａｄｖａｎｔａｇｅ  Ｇｒｉｐｐｉｎｇ」が参照され得、それらの各々の全体的な内容は、参照により本明細書に組み込まれる。
【００４５】
本明細書に具体的に記載され、添付の図面に示されている構造及び方法は、非限定的で例示的な実施形態であること、ならびに本説明、開示、及び図面は、具体的な実施形態の単なる例とし解釈されるべきであることは、当業者であれば理解するだろう。したがって、本開示は、記載されている正確な実施形態に限定されるものではなく、様々な他の変更及び修正は、本開示の範囲または精神から逸脱することなく、当業者によって達成され得ることを理解するべきである。例えば、本器具は、独立して置換可能ではないステープルカートリッジアセンブリを有する装着ユニットを含むことができ、装着ユニットは、電動式外科手術用ステープル留めハンドル、手動で動作される外科手術用ステープル留めハンドル、またはロボット外科手術用システムに接続するように配置される。さらに、ある実施形態に関連して図示または記載されている要素及び特徴は、本開示の範囲から逸脱することなく、ある他の実施形態の要素及び特徴と組み合わされ得、かかる修正及び変形もまた、本開示の範囲内に含まれる。したがって、本開示の主題事項は、具体的に図示及び記載されているものに限定されない。
【図１】
2018069078.tif 000003
【図２】
2018069078.tif 000004
【図３】
2018069078.tif 000005
【図３Ａ】
2018069078.tif 000006
【図４】
2018069078.tif 000007
【図５】
2018069078.tif 000008
【図６】
2018069078.tif 000009